(57)【特許請求の範囲】
【請求項１】
内容の重要度を表す情報を含む防災情報を受信する受信手段と、
所定の用紙に画像をプリント出力するプリント手段と、
前記防災情報の報知を行う報知手段と、
複数の重要度に対応して、報知形態を設定するための対応設定情報を格納する対応動作格納手段と、
前記防災情報の内容を表す文章を表す本文データを格納するための本文データ格納手段と、
前記防災情報の前記重要度を認識し、認識した前記重要度に対応する対応設定情報を参照して、当該対応設定情報が設定する報知形態で前記報知手段に前記防災情報の報知を行わせるとともに、前記重要度に応じて前記プリント手段に所定の画像をプリント出力させる制御手段と、を備えており、
前記対応動作格納手段は、前記本文データを格納するか否かを表すデータが設定された前記対応設定情報を格納し、
前記制御手段は、認識した前記重要度に対応する対応設定情報を参照して、当該対応設定情報が前記本文データを格納する設定であれば、当該本文データを前記本文データ格納手段に格納することを特徴とする、
画像形成装置。
【請求項２】
前記制御手段は、前記防災情報に所定のキーワードが含まれている場合に、前記重要度に応じた報知形態で前記報知手段に前記防災情報の報知を行わせることを特徴とする、
請求項１記載の画像形成装置。
【請求項３】
前記対応動作格納手段は、重要度及び前記防災情報に含まれるキーワードに対応して、前記対応設定情報を格納し、
前記制御手段は、認識した前記重要度及び前記防災情報に含まれるキーワードに対応する対応設定情報を参照して、当該対応設定情報が設定する報知形態で前記報知手段に前記防災情報の報知を行わせることを特徴とする、
請求項１記載の画像形成装置。
【請求項４】
前記報知手段は、画像を表示する表示手段、音を出力する音出力手段、発光する発光手段、及び複数の色で発光可能な回転灯を備えており、
前記対応動作格納手段は、前記表示手段に前記防災情報の内容を表す文章を表示するか否か、前記音出力手段から音を出力するか否か、前記発光手段に発光させるか否か、前記回転灯に発光させるか否か及び前記回転灯を発光させる場合の色、及び前記プリント手段に画像をプリント出力させるか否か、を表すデータが設定された、前記対応設定情報を格納することを特徴とする、
請求項１又は３記載の画像形成装置。
【請求項５】
前記対応動作格納手段は、前記音出力手段から出力される音の音量及び前記防災情報の内容を表す前記文章を音で出力するか否かを表すデータが設定された前記対応設定情報を格納することを特徴とする、
請求項４記載の画像形成装置。
【請求項６】
前記制御手段は、所定の入力手段により報知の終了が指示されると、前記報知手段に前記防災情報の報知を終了させることを特徴とする、
請求項１〜５のいずれか１項記載の画像形成装置。
【請求項７】
災害時に前記用紙に画像形成される災害時画像を格納する災害時画像格納手段を備えており、
前記制御手段は、前記災害時画像格納手段に格納された前記災害時画像と前記防災情報の内容を表す文章とを組み合わせた画像を前記プリント手段にプリント出力させることを特徴とする、
請求項１〜６のいずれか１項記載の画像形成装置。
【請求項８】
内容の重要度を表す情報を含む防災情報を受信する受信手段、所定の用紙に画像形成を行うプリント手段、前記防災情報の報知を行う報知手段、複数の重要度に対応して、報知形態を設定するための対応設定情報を格納する対応動作格納手段、及び前記防災情報の内容を表す文章を表す本文データを格納するための本文データ格納手段を備える装置により実行される方法であって、
前記防災情報の前記重要度を認識し、
認識した前記重要度に対応する対応設定情報を参照して、当該対応設定情報が設定する報知形態で前記報知手段に前記防災情報の報知を行わせ、
前記重要度に応じて前記プリント手段に所定の画像をプリント出力させ、
前記対応動作格納手段に、前記本文データを格納するか否かを表すデータが設定された前記対応設定情報を格納し、
認識した前記重要度に対応する対応設定情報を参照して、当該対応設定情報が前記本文データを格納する設定であれば、当該本文データを前記本文データ格納手段に格納することを特徴とする、
報知方法。
【請求項９】
内容の重要度を表す情報を含む防災情報を受信する受信手段、所定の用紙に画像をプリント出力するプリント手段、及び前記防災情報の報知を行う報知手段を備えるコンピュータを、
複数の重要度に対応して、報知形態を設定するための対応設定情報を格納する対応動作格納手段、
前記防災情報の内容を表す文章を表す本文データを格納するための本文データ格納手段、
前記防災情報の前記重要度を認識し、認識した前記重要度に対応する対応設定情報を参照して、当該対応設定情報が設定する報知形態で前記報知手段に前記防災情報の報知を行わせるとともに、前記重要度に応じて前記プリント手段に所定の画像をプリント出力させる制御手段として機能させ、
前記対応動作格納手段に、前記本文データを格納するか否かを表すデータが設定された前記対応設定情報を格納させ、
前記制御手段に、認識した前記重要度に対応する対応設定情報を参照して、当該対応設定情報が前記本文データを格納する設定であれば、当該本文データを前記本文データ格納手段に格納させる、
コンピュータプログラム。
【請求項１０】
請求項９記載のコンピュータプログラムを記憶するコンピュータで読み取り可能な記憶媒体。
【発明の詳細な説明】
【技術分野】
【０００１】
本発明は、防災無線の受信機能を有した複合機等の画像形成装置に関する。
【背景技術】
【０００２】
デジタル同報無線システムを使用した防災無線システムがある。デジタル同報無線システムでは、防災情報が、各所に配置された送信機により２８０［ＭＨｚ］の電波を使用して配信される。住民は、２８０［ＭＨｚ］の電波専用のチャンネルを持った防災無線ラジオを所持する。防災無線ラジオは、防災情報を受信して、音声や光の点滅により受信した防災情報の内容を住民に報知する。
【０００３】
防災無線ラジオのような防災無線の受信機は、個人の住宅に設置して使用することを考慮されている。しかし、昼間は多くの人がオフィスで働いているために、防災情報をオフィス内の人に報知する受信機が必要とされている。また、デジタル同報無線システムでは、２８０［ＭＨｚ］の電波を使用するために、オフィス等の建物内への防災情報の報知に向いている。
【０００４】
防災無線の受信機として、高機能の画像形成装置（以下、「ＭＦＰ：Multi Function Peripheral」という。）を用いることが検討されている。これは、ＭＦＰのオフィスへの普及率が高いためである。また、ＭＦＰは、防災情報を音で報知するためのスピーカ、光の点滅のための発光部、防災情報を文字により表示するための表示部等の報知手段を、ユーザインタフェースとして標準で装備している。そのためにＭＦＰは、専用の受信機を導入する場合に比べて、導入コストや設置場所の点で防災無線の受信機に適している。また、災害発生時には、停電や携帯端末からの基地局へのアクセス集中等により、パーソナルコンピュータや携帯端末による情報収集が困難になることが予想される。このような場合、ＭＦＰは、防災情報の報知の他に、周辺の地域や避難経路を示した地図や、オフィス内の社員名簿や所在の確認リスト等を紙にプリントすることで、ユーザに有益な情報を確保することができる。特許文献１は、このようなＭＦＰの発明を開示する。このＭＦＰは、緊急時に起動し、ネットワーク上から情報を収集してプリントする際のレイアウト等の最適化を行い出力する。このようにデジタル同報無線システムの受信機能をＭＦＰに搭載することは、非常に有用である。
【先行技術文献】
【特許文献】
【０００５】
【特許文献１】特開２０１５−２２７３９号公報
【発明の概要】
【発明が解決しようとする課題】
【０００６】
防災無線では、通常のお知らせや、注意報、警報、大規模地震や津波の情報等の、様々な緊急度、重要度の防災情報が配信される。緊急度、重要度に応じて、ユーザへの報知形態を変える必要がある。例えば、お知らせレベルの情報は、積極的にユーザへの報知を行わなくともよく、大規模地震や津波の情報は、スピーカの音量を最大にして多くのユーザに報知を行う必要がある。また、避難情報をプリントする場合、地震や津波の際の避難経路や、洪水や崖崩れの際の避難経路等、通知された災害の種類や災害の発生場所に応じて適切に出力する必要がある。このように防災無線の受信機は、防災情報の内容に応じて、ユーザに対して適切に報知することが重要となる。
【０００７】
本発明は、上記の問題を解決するために、防災無線により取得した防災情報を適切な報知形態で報知する画像形成装置を提供することを主たる課題とする。
【課題を解決するための手段】
【０００８】
本発明の画像形成装置は、内容の重要度を表す情報を含む防災情報を受信する受信手段と、所定の用紙に画像をプリント出力するプリント手段と、前記防災情報の報知を行う報知手段と、複数の重要度に対応して、報知形態を設定するための対応設定情報を格納する対応動作格納手段と、前記防災情報の内容を表す文章を表す本文データを格納するための本文データ格納手段と、前記防災情報の前記重要度を認識し、認識した前記重要度に対応する対応設定情報を参照して、当該対応設定情報が設定する報知形態で前記報知手段に前記防災情報の報知を行わせるとともに、前記重要度に応じて前記プリント手段に所定の画像をプリント出力させる制御手段と、を備えており、前記対応動作格納手段は、前記本文データを格納するか否かを表すデータが設定された前記対応設定情報を格納し、前記制御手段は、認識した前記重要度に対応する対応設定情報を参照して、当該対応設定情報が前記本文データを格納する設定であれば、当該本文データを前記本文データ格納手段に格納することを特徴とする。
【発明の効果】
【０００９】
本発明によれば、重要度に応じた報知形態で防災情報を報知することで、ユーザに対して適切に防災情報を伝えることができる。
【図面の簡単な説明】
【００１０】
【図１】（ａ）、（ｂ）は防災無線システムの説明図。
【図２】（ａ）、（ｂ）は受信データの説明図。
【図３】（ａ）、（ｂ）はＵＩ部及びコントローラ部の具体的な構成例示図。
【図４】（ａ）〜（ｃ）はＵＩ制御信号及び対応設定情報の説明図。
【図５】（ａ）〜（ｃ）は対応設定情報の設定画面の例示図。
【図６】（ａ）〜（ｉ）は対応設定情報の設定画面の例示図。
【図７】（ａ）〜（ｃ）は対応設定情報の設定画面の例示図。
【図８】（ａ）、（ｂ）は対応設定情報の設定処理を表すフローチャート。
【図９】防災情報の報知処理を表すフローチャート。
【図１０】プリント出力する画像の例示図。
【図１１】（ａ）、（ｂ）はコントローラ部の説明図。
【図１２】（ａ）〜（ｃ）はキーワード情報の説明図。
【図１３】（ａ）〜（ｃ）はキーワード設定情報の設定画面の例示図。
【図１４】キーワード設定情報及び対応設定情報の設定処理を表すフローチャート。
【図１５】キーワード設定情報及び対応設定情報の例示図。
【図１６】防災情報の報知処理を表すフローチャート。
【図１７】（ａ）〜（ｃ）は対応設定情報の説明図。
【図１８】対応設定情報の設定処理を表すフローチャート。
【図１９】ＵＩ部の構成図。
【図２０】（ａ）〜（ｃ）はＵＩ制御信号及び対応設定情報の説明図。
【図２１】（ａ）〜（ｃ）は対応設定情報の設定画面の例示図。
【図２２】（ａ）、（ｂ）は対応設定情報の設定画面の例示図。
【図２３】対応設定情報の設定処理を表すフローチャート。
【図２４】防災情報の報知処理を表すフローチャート。
【図２５】（ａ）、（ｂ）は報知停止の指示を入力するための画面の例示図。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１２】
＜第１実施形態＞
図１は、本実施形態の画像形成装置を含む防災無線システムの説明図である。図１（ａ）は、防災無線システムの構成図である。この防災無線システムは、デジタル同報無線システムを使用しており、複数の情報発信元端末２００１〜２００３、情報配信サーバ４００、送信局６００、及び高機能の画像形成装置であるＭＦＰ１００を備える。情報発信元端末２００１〜２００３と情報配信サーバ４００とは、インターネット等の公衆通信回線３００を介して相互に通信可能に接続される。情報配信サーバ４００と送信局６００とは、光回線や衛星回線等を用いた専用回線５００により通信可能に接続される。
【００１３】
情報発信元端末２００１〜２００３は、防災無線システムにおける防災情報等の情報の発信源となる端末である。情報発信元端末２００１〜２００３は、図１（ａ）では３つしか図示していないが、実際には多数の情報発信元端末が設けられる。各情報発信元端末２００１〜２００３は、公衆通信回線３００を介して、情報配信サーバ４００へ防災情報等の情報を送信する。情報配信サーバ４００は、公衆通信回線３００を介して、各情報発信元端末２００１〜２００３から受信した防災情報等の情報を、専用回線５００を介して送信局６００へ送信する。送信局６００は、専用回線５００を介して情報配信サーバ４００から受信した防災情報等の情報を、例えば２８０［ＭＨｚ］の電波を用いて、無線通信によりＭＦＰ１００へ配信する。
【００１４】
ＭＦＰ１００は、図１（ａ）では１つしか図示していないが、実際には多数のＭＦＰ１００が設けられる。各ＭＦＰ１００は、送信局６００から配信される防災情報を受信する。ＭＦＰ１００は、受信した防災情報をユーザに報知する。図１（ｂ）は、ＭＦＰ１００の構成図である。ＭＦＰ１００は、アンテナ２０１、無線受信部２０２、コントローラ部２０３、スキャン部２０４、プリント部２０５、ＵＩ（User Interface）部２０６、及び電源制御部２０７を備える。
【００１５】
アンテナ２０１は、送信局６００から送出される無線通信の電波を受信して、無線受信部２０２に入力する。無線受信部２０２は、アンテナ２０１から入力される電波により、送信局６００から配信される防災情報を受信する。無線受信部２０２は、アンテナ２０１から入力される電波に基づいて、デジタルデータである受信データを生成する。受信データは、コントローラ部２０３に入力される。また、無線受信部２０２は、送信局６００から電波を受信したことを表す受信通知信号を生成して、電源制御部２０７に入力する。
電源制御部２０７は、コントローラ部２０３、スキャン部２０４、プリント部２０５、及びＵＩ部２０６等のＭＦＰ１００内の各部への電源供給を制御する。例えば、電源制御部２０７は、スリープモードのようなＭＦＰ１００の各部への電源供給をセーブした状態で受信通知信号が入力されると、これを契機にして各部への電源供給を再開する。
【００１６】
コントローラ部２０３は、スキャン部２０４、プリント部２０５、及びＵＩ部２０６の動作を制御する。コントローラ部２０３は、例えばＣＰＵ（Central Processing Unit）で構成される。この他に、コントローラ部２０３は、ＡＳＩＣ（Application Specific Integrated Circuit）、ＦＰＧＡ（Field-Programmable Gate Array）等で構成されてもよい。コントローラ部２０３は、例えばＣＰＵがコンピュータプログラムを読み込んで実行することにより、防災情報の報知に関する機能及び処理を実現する。
【００１７】
スキャン部２０４は、画像読取部であり、原稿から原稿画像を光学的に読み取り、読み取った原稿画像を表すデジタル信号である画像信号を生成する。スキャン部２０４は、生成した画像信号をコントローラ部２０３に入力する。スキャン部２０４は、コントローラ部２０３から入力されるスキャナ制御信号により、動作が制御される。
【００１８】
プリント部２０５は、画像形成部であり、コントローラ部２０３から入力される画像信号に基づいて、インクやトナー等を使用して用紙に画像形成して出力する。プリント部２０５は、コントローラ部２０３から入力されるプリンタ制御信号により、動作が制御される。
【００１９】
ＵＩ部２０６は、ユーザとのインタフェースであり、入力部及び出力部を備える。入力部は、ユーザがＭＦＰ１００に対して各種設定を行うボタン、スイッチ、テンキー等である。出力部は、ＭＦＰ１００の状態や設定画面の表示を行う表示部、ＬＥＤ（Light Emitting Diode）等の発光部、スピーカ等である。なお表示部は、表示面に透明のタッチパッドが形成されて、入出力装置であるタッチパネルを構成する。ＵＩ部２０６は、コントローラ部２０３から入力されるＵＩ制御信号により、動作が制御される。
【００２０】
このような構成のＭＦＰ１００は、コピー動作を行う場合、ＵＩ部２０６による入力に基づいて、コントローラ部２０３が各種画像処理の設定を行う。設定完了後にコントローラ部２０３は、スキャン部２０４を制御して、原稿画像を表す画像信号を取得する。コントローラ部２０３は、設定に従って画像処理を行い、画像形成用の画像信号を生成する。コントローラ部２０３は、生成した画像形成用の画像信号及びプリンタ制御信号をプリント部２０５に入力する。プリント部２０５は、入力された画像信号に基づいて画像形成処理を行い、画像を形成した用紙を出力する。
【００２１】
図２は、防災情報に基づいて生成される受信データの説明図である。無線受信部２０２は、防災情報に含まれる内容の重要度についての情報及び内容を表す文章についての情報に基づいて、受信データを生成する。図２（ａ）は、受信データのフォーマットを例示する。受信データは、２ビットのヘッダ部及び１キロバイトの本文部から構成される。ヘッダ部は、防災情報の内容の重要度を表すヘッダ情報を含む。ヘッダ部が２ビットであるため、重要度は複数、本実施形態では４段階で設定される。本文部は、防災情報の具体的な内容を表す文章を含む。図２（ｂ）は、防災情報のヘッダ部及び本文部の具体例を表す。
【００２２】
ヘッダ情報が「００」の場合、「重要度０」であり、防災情報の警戒レベルがお知らせレベルであることを表す。具体的には、防災情報は、本文例に有るような「明日は区議会議員選挙の投票日です」といった内容となる。ヘッダ情報が「０１」の場合、「重要度１」であり、防災情報の警戒レベルが注意報レベルであることを表す。具体的には、防災情報は、本文例に有るような「茨城県南部に大雨注意報が出ました」といった内容となる。ヘッダ情報が「１０」の場合、「重要度２」であり、防災情報の警戒レベルが警報レベルであることを表す。具体的には、防災情報は、本文例に有るような「都内２３区に大雨洪水警報が出ました」といった内容となる。ヘッダ情報が、「１１」の場合、「重要度３」であり、防災情報の警戒レベルが地震や津波など、緊急性及び重要性の高いレベルであることを表す。具体的には、防災情報は、本文例に有るような「茨城県南部に震度５以上の地震が起きる可能性があります」といった内容となる。本文部は、図２（ｂ）の例文のような文章がコード化されて格納される。コード化は、例えばシフトＪＩＳコードを使用して行われる。
【００２３】
図３は、ＭＦＰ１００のＵＩ部２０６及びコントローラ部２０３の具体的な構成例示図である。図３（ａ）がＵＩ部２０６の構成を表し、図３（ｂ）がコントローラ部２０３の構成を表す。
【００２４】
ＵＩ部２０６は、上記の通り、表示部４０１、ボタン、スイッチ、テンキー等のキー入力部４０２、スピーカ４０３、及び発光部４０４を備える。この他にＵＩ部２０６は、コントローラＩ／Ｆ部４０５及びＵＩ制御部４０６を備える。
【００２５】
表示部４０１は、液晶パネル等のディスプレイにより構成され、文字や画像の表示を行う。キー入力部４０２は、押しボタン式のスイッチ等を使用し、電源スイッチやモード選択、テンキー等による入力を行う。キー入力部４０２の機能の一部は、タッチパネルにより代替することができる。スピーカ４０３は、キータッチ時やエラー時のビープ音等を発する音出力装置である。発光部４０４は、電源の投入、遮断時の点滅、ジャムや用紙切れ等の不具合発生時に点灯する。
【００２６】
コントローラＩ／Ｆ部４０５は、コントローラ部２０３からＵＩ制御信号を取得するインタフェースである。ＵＩ制御部４０６は、コントローラＩ／Ｆ４０５を介して取得したＵＩ制御信号に応じて、表示部４０１、スピーカ４０３、発光部４０４の動作制御を行う。本実施形態では、ＵＩ制御部４０６は、ＵＩ制御信号に応じて表示部４０１、スピーカ４０３、発光部４０４により防災情報の報知を行う。また、ＵＩ制御部４０６は、キー入力部４０２やタッチパネルにより入力された各種の設定を表す設定信号を、コントローラＩ／Ｆ部４０５を介してコントローラ部２０３に入力する。
【００２７】
コントローラ部２０３は、防災情報を受信した際に、本文部の文章の保存や報知、予め登録しておいた関連情報のプリント出力等の処理を行う。そのためにコントローラ部２０３は、受信した防災情報のヘッダ部を解析して、解析結果に基づいた報知形態の選択、本文部の保存の実行の有無、プリント出力の有無を判断する。このような処理のためにコントローラ部２０３は、ＭＦＰ制御部５０１、ヘッダ解析部５０８、対応動作格納部５０９、本文データ格納部５１１、スキャン画像信号処理部５０２、災害時画像格納部５１０、及びプリント画像信号処理部５０４を備える。また、コントローラ部２０３は、ＭＦＰ１００内の各部と通信するために、スキャナＩ／Ｆ部５０３、プリントＩ／Ｆ部５０５、入出力Ｉ／Ｆ部５０６、及び防災情報Ｉ／Ｆ部５０７を備える。
【００２８】
ＭＦＰ制御部５０１は、ＭＦＰ１００全体の動作を制御する。そのためにＭＦＰ制御部５０１は、コントローラ部２０３の各部との間で通信を行う。ＭＦＰ制御部５０１は、ＣＰＵ等の制御装置で構成される。
【００２９】
スキャナＩ／Ｆ部５０３は、スキャン部２０４とＭＦＰ制御部５０１との間の通信を制御するインタフェースである。スキャナＩ／Ｆ部５０３は、スキャン部２０４の動作を制御するスキャナ制御信号を、ＭＦＰ制御部５０１から受信してスキャン部２０４へ送信する。スキャナＩ／Ｆ部５０３は、スキャン部２０４が生成した画像信号を、スキャン部２０４から受信してＭＦＰ制御部５０１へ送信する。スキャン画像信号処理部５０２は、スキャナＩ／Ｆ部５０３を介してスキャン部２０４から取得した画像信号に対して、所定の画像処理を行う。スキャン画像信号処理部５０２は、画像処理後の画像信号をＭＦＰ制御部５０１に入力する。
【００３０】
プリントＩ／Ｆ部５０５は、プリント部２０５とＭＦＰ制御部５０１との間の通信を制御するインタフェースである。プリントＩ／Ｆ部５０５は、プリント部２０５の動作を制御するプリンタ制御信号を、ＭＦＰ制御部５０１から受信してプリント部２０５へ送信する。プリントＩ／Ｆ部５０５は、プリント部２０５にプリント出力させる画像を表す画像信号を災害時画像格納部５１０及びプリント画像信号処理部５０４から取得してプリント部２０５へ送信する。プリント画像信号処理部５０４は、ＭＦＰ制御部５０１から入力されるプリント対象となる画像信号に対して、所定の画像処理を行う。災害時画像格納部５１０は、防災情報受信時にプリント部２０５からプリント出力させる災害時画像を格納する。
【００３１】
入出力Ｉ／Ｆ部５０６は、ＵＩ部２０６とＭＦＰ制御部５０１との間の通信を制御するインタフェースである。入出力Ｉ／Ｆ部５０６は、ＵＩ部２０６から設定信号を受信してＭＦＰ制御部５０１へ送信する。入出力Ｉ／Ｆ部５０６は、ＭＦＰ制御部５０１からＵＩ部２０６の動作を制御するＵＩ制御信号を受信してＵＩ部２０６へ送信する。
防災情報受信時には、ＵＩ部２０６に防災情報の重要度に応じた報知状態で防災情報の報知を行わせるためのＵＩ制御信号が、入出力Ｉ／Ｆ部５０６を介してＭＦＰ制御部５０１からＵＩ部２０６へ送信される。ＵＩ部２０６は、ＵＩ制御信号に応じて、表示部４０１による本文部の文章の表示、スピーカ４０３による警告音や本文部の文章の音声出力、スピーカ４０３の音量調整、発光部４０４の点滅制御を行う。ＵＩ制御信号の詳細については後述する。
【００３２】
防災情報Ｉ／Ｆ部５０７は、無線受信部２０２から受信データを取得してコントローラ部２０３及びヘッダ解析部５０８に入力する。
ヘッダ解析部５０８は、防災情報Ｉ／Ｆ部５０７から受信した受信データのヘッダ部の解析を行う。ヘッダ解析部５０８は、受信データのヘッダ部である上位２ビットのデータに基づいて、防災情報の重要度を認識する。ヘッダ解析部５０８は、解析結果を表すヘッダ情報として、２ビットのデータをＭＦＰ制御部５０１に入力する。ヘッダ情報の２ビットと重要度との関係は、図２（ｂ）に示したものと同様の関係である。
【００３３】
対応動作格納部５０９は、防災情報の重要度に対応して、報知形態や、本文を保存するか否か、プリント出力の有無等を表すデータが設定された対応設定情報を格納する。本文データ格納部５１１は、防災情報の本文部の文章を表す本文データを格納する。
【００３４】
図４は、ＵＩ制御信号及び対応設定情報の説明図である。
【００３５】
図４（ａ）は、コントローラ部２０３からＵＩ部２０６へ送られるＵＩ制御信号のデータ構成例示図である。ＵＩ制御信号は、「表示部動作」、「スピーカ動作」、「発光部動作」、及び「本文データ部」のデータを含む。
【００３６】
「表示部動作」は、受信データの本文部の文章を、ＵＩ部２０６の表示部４０１に表示するか否かの設定を行う。表示部動作は１ビットのデータで表される。例えば、「表示部動作」は、「０」の場合に「本文表示しない」、「１」の場合に「本文表示する」を表す。
【００３７】
「スピーカ動作」は、スピーカ４０３から警告音の出力を行うか否か、受信データの本文部の文章を音声として出力するか否か、及びスピーカ４０３の音量の設定を行う。警告音の出力を行うか否かの設定は、１ビットのデータで表される。例えば、「スピーカ動作」の「警告音」は、「０」の場合に「警告音なし」、「１」の場合に「警告音あり」を表す。受信データの本文部の文章を音声としてスピーカ４０３から出力するか否かの設定は、１ビットのデータで表される。例えば、「スピーカ動作」の「音声」は、「０」の場合に「音声通知なし」、「１」の場合に「音声通知あり」を表す。音量の設定は、２ビットのデータで表される。例えば、「スピーカ動作」の「音量」は、「００」の場合にスピーカの音量「無し」、「０１」の場合にスピーカの音量「小」、「１０」の場合にスピーカの音量「中」、「１１」の場合にスピーカの音量「大」を表す。
【００３８】
「発光部動作」は、発光部４０４に対して点滅等の発光動作を行うか否かの設定を行う。「発光部動作」は、１ビットのデータで表される。例えば「発光部動作」は、「０」の場合に「発光部の点滅しない」、「１」の場合に「発光部の点滅する」を表す。
【００３９】
ＵＩ制御信号は、この他に、ＵＩ部２０６の表示部４０１に本文部の文章を表示するため、またスピーカ４０３から音声にて読み上げるために、「本文データ部」に受信データの本文部の文章を含む。本文部の文章は、ＵＩ部２０６のＵＩ制御部４０６により、シフトＪＩＳコードから、表示部４０１に表示するためのテキストデータや、スピーカ４０３で読み上げるための音声データに変換される。
【００４０】
図４（ｂ）は、対応動作格納部５０９に格納される対応設定情報のデータ構成例示図である。対応設定情報は、ＵＩ制御信号の上位６ビットの構成に、「データ保存設定」、「プリント設定」「枚数設定」、及び「プリントファイル情報」を追加した構成である。ＵＩ制御信号と同様の構成については説明を省略する。対応設定情報は、重要度毎に同じ構成で格納される。
【００４１】
「データ保存設定」は、防災情報の受信時に、本文部の文章データをコントローラ部２０３の本文データ格納部５１１に格納するか否かの設定を行う。「データ保存設定」は、１ビットのデータで表される。例えば、「データ保存設定」は、「０」の場合に「本文を保存しない」、「１」の場合に「本文を保存する」を表す。
【００４２】
「プリント設定」は、防災情報の受信時に、コントローラ部２０３の災害時画像格納部５１０に格納してある災害時画像のプリント出力を行うか否かの設定を行う。「プリント設定」は、１ビットのデータで表される。例えば、「プリント設定」は、「０」の場合に「印刷出力しない」、「１」の場合に「印刷出力する」を表す。
【００４３】
「枚数設定」は、防災情報の受信時に、災害時画像のプリント出力を行う際の出力枚数の設定を行う。本実施形態では、「枚数設定」は８ビットのデータで表されており、最大で２５５枚までの出力枚数を設定することができる。
【００４４】
「プリントファイル情報」は、防災情報の受信時に、災害時画像のプリント出力を行う際の、画像信号の指定を行う。「プリントファイル情報」は、災害時画像格納部５１０内の画像信号のディレクトリ等の位置情報や、ファイル名等で表される。
【００４５】
このような構成の対応設定情報を格納する対応動作格納部５０９は、メモリ等の記憶デバイスにより構成される。図４（ｃ）は、対応動作格納部５０９に格納される重要度毎の対応設定情報の先頭アドレスの例示図である。図４（ｃ）の例では、対応動作格納部５０９のアドレス「0000-0000 h」を先頭番地として、重要度０のときの対応設定情報が格納される。対応動作格納部５０９のアドレス「0001-0000 h」を先頭番地として、重要度１のときの対応設定情報が格納される。対応動作格納部５０９のアドレス「0010-0000 h」を先頭番地として、重要度２のときの対応設定情報が格納される。対応動作格納部５０９のアドレス「0011-0000 h」を先頭番地として、重要度３のときの対応設定情報が格納される。
【００４６】
ＭＦＰ制御部５０１は、ヘッダ解析部５０８からのヘッダ情報が「００」の場合、「重要度０」として、「0000-0000 h」を先頭番地とした対応設定情報に基づいて、ＵＩ制御信号を生成する。ＭＦＰ制御部５０１は、ヘッダ解析部５０８からのヘッダ情報が「０１」の場合、「重要度１」として、「0001-0000 h」を先頭番地とした対応設定情報に基づいて、ＵＩ制御信号を生成する。ＭＦＰ制御部５０１は、ヘッダ解析部５０８からのヘッダ情報が「１０」の場合、「重要度２」として、「0010-0000 h」を先頭番地とした対応設定情報に基づいて、ＵＩ制御信号を生成する。ＭＦＰ制御部５０１は、ヘッダ解析部５０８からのヘッダ情報が「１１」の場合、「重要度３」として、「0011-0000 h」を先頭番地とした対応設定情報に基づいて、ＵＩ制御信号を生成する。
【００４７】
対応設定情報は、ＵＩ部２０６からの入力される設定信号により設定される。図５〜図７は、対応設定情報の設定の際に、ＵＩ部２０６の表示部４０１に表示される設定画面の例示図である。ユーザは、これらの設定画面からタッチパネル、キー入力部４０２等を用いて適宜選択を行い、対応設定情報を設定する。
【００４８】
図５（ａ）は、ＭＦＰ１００の通常動作時に、表示部４０１に表示されるデフォルトの画面である。この画面は、ＭＦＰ１００の動作を選択する画面である。ユーザは、この画面からコピー、プリント、スキャンした画像のメール等による送信等のＭＦＰ１００の基本動作の他に、各種の設定を選択することができる。対応設定情報の設定を行う場合、ユーザは、「設定」ボタン７０１を選択する。図５（ａ）の「設定」ボタン７０１が選択されることで、表示部４０１には図５（ｂ）の画面が表示される。
【００４９】
図５（ｂ）は、コピー、プリント、スキャナの動作設定の他に、防災情報受信時の設定を行うための画面である。ユーザは、この画面からコピー、プリント、スキャナ、防災情報受信時のいずれかを選択して設定を行う。図５（ｂ）の「防災設定」ボタン７０２が選択されることで、表示部４０１には図５（ｃ）の画面が表示される。
【００５０】
図５（ｃ）は、重要度毎の設定を行うための画面である。ユーザは、この画面から０〜３のいずれかの重要度を選択して設定を行う。ここでは、ユーザが「重要度・０」ボタン７０３を選択して重要度０に対応した対応設定情報を設定する例を説明する。他の重要度についても同様の処理となる。図６は、重要度が「０」のときの対応設定情報を設定するための画面の例示図である。
【００５１】
図６（ａ）は、表示部４０１に受信データの本文部の文章を表示するか否かの設定を行う画面である。ユーザは、「表示する」、「表示しない」のいずれかを選択する。「表示する」が選択された場合、対応設定情報の「表示部動作」に「１」が設定される。これによりＵＩ部２０６は、図４（ａ）に示すＵＩ制御信号の本文データ部の文章をシフトＪＩＳコードからテキストデータへと変換して、表示部４０１に表示することになる。「表示しない」が選択された場合、対応設定情報の「表示部動作」に「０」が設定される。「次へ」ボタンが押下されることで、対応設定情報の次の項目の設定画面に画面が遷移する。
【００５２】
図６（ｂ）は、スピーカ４０３から警告音を出力するか否かの設定を行う画面である。ユーザは、「警告音を鳴らす」、「警告音を鳴らさない」のいずれかを選択する。「警告音を鳴らす」が選択された場合、対応設定情報の「スピーカ動作」の「警告音」に「１」が設定される。「警告音を鳴らさない」が選択された場合、対応設定情報の「スピーカ動作」の「警告音」に「０」が設定される。「次へ」ボタンが押下されることで、対応設定情報の次の項目の設定画面に画面が遷移する。
【００５３】
図６（ｃ）は、スピーカ４０３から受信データの本文部の文章の音声通知を行うか否かの設定を行う画面である。ユーザは、「音声通知する」、「音声通知しない」のいずれかを選択する。「音声通知する」が選択された場合、対応設定情報の「スピーカ動作」の「音声」に「１」が設定される。これによりＵＩ部２０６は、図４（ａ）に示すＵＩ制御信号の本文データ部の文章をシフトＪＩＳコードからスピーカ４０３から音声を発するための音声データへと変換して、スピーカ４０３から出力することになる。「音声通知しない」が選択された場合、対応設定情報の「スピーカ動作」の「音声」に「０」が設定される。「次へ」ボタンが押下されることで、対応設定情報の次の項目の設定画面に画面が遷移する。
【００５４】
図６（ｄ）は、スピーカ４０３から出力する警告音や音声通知の音量設定を行う画面である。本実施形態では、音量が「消音」、「小」、「中」、「大」の４つの段階で設定可能である。「消音」が選択された場合、警告音や音声通知が設定されていても、音量がゼロとなり聞こえない状態となる。ユーザは、「消音」、「小」、「中」、「大」のいずれかを選択する。「消音」が選択された場合、対応設定情報の「スピーカ動作」の「音量」に「００」が設定される。「小」が選択された場合、対応設定情報の「スピーカ動作」の「音量」に「０１」が設定される。「中」が選択された場合、対応設定情報の「スピーカ動作」の「音量」に「１０」が設定される。「大」が選択された場合、対応設定情報の「スピーカ動作」の「音量」に「１１」が設定される。「次へ」ボタンが押下されることで、対応設定情報の次の項目の設定画面に画面が遷移する。
【００５５】
図６（ｅ）は、発光部４０４の点滅により、防災情報の通知を行うか否かの設定を行う画面である。ユーザは、「点滅を行う」、「点滅を行わない」のいずれかを選択する。「点滅を行う」が選択された場合、対応設定情報の「発光部動作」に「１」が設定される。「点滅を行わない」が選択された場合、対応設定情報の「発光部動作」に「０」が設定される。「次へ」ボタンが押下されることで、対応設定情報の次の項目の設定画面に画面が遷移する。
【００５６】
図６（ｆ）は、受信データの本文部の文章の保存を行うか否かの設定を行う画面である。ユーザは、「保存する」、「保存しない」のいずれかを選択する。「保存する」が選択された場合、対応設定情報の「データ保存設定」に「１」が設定される。「保存しない」が選択された場合、対応設定情報の「データ保存設定」に「０」が設定される。「次へ」ボタンが押下されることで、対応設定情報の次の項目の設定画面に画面が遷移する。
【００５７】
図６（ｇ）は、予め災害時画像格納部５１０に格納される災害時画像のプリント出力を行うか否かの設定を行う画面である。ユーザは、「プリントする」、「プリントしない」のいずれかを選択する。「プリントする」が選択された場合、対応設定情報の「プリント設定」に「１」が設定される。「プリントしない」が選択された場合、対応設定情報の「プリント設定」に「０」が設定される。「次へ」ボタンが押下されることで、対応設定情報の次の項目の設定画面に画面が遷移する。
【００５８】
図６（ｈ）は、図６（ｇ）において「プリントする」が選択された後に「次へ」ボタンが押下されたときに表示される画面である。図６（ｈ）は、災害時画像格納部５１０に格納する複数の災害時画像を表す画像信号の中から、プリント出力を行う画像信号の選択を行う画面である。表示部４０１には、災害時画像格納部５１０に格納されている災害時画像の画像信号の一覧が表示される。ユーザは、この一覧からプリントする画像信号を選択する。画像信号の一覧から、複数の画像信号が選択可能である。選択結果は、対応設定情報の「プリントファイル情報」に設定される。「次へ」ボタンが押下されることで、対応設定情報の次の項目の設定画面に画面が遷移する。
【００５９】
図６（ｉ）は、図６（ｈ）の「次へ」ボタンが押下されて表示される画面である。図６（ｉ）は、プリント出力を行う枚数の設定を行う画面である。表示部４０１には、枚数設定用のテンキーが表示される。ユーザは、テンキーを使用して枚数の設定を行う。本実施形態では、枚数の設定用に８ビットの設定情報を使用しているために、最大の設定枚数は２５５枚となる。設定結果は、対応設定情報の「枚数設定」に設定される。「次へ」ボタンが押下されることで、対応設定情報の次の項目の設定画面に画面が遷移する。
【００６０】
図７（ａ）は、プリント出力を行う場合の対応設定情報の確認のための画面である。この画面は、図６（ｉ）の「次へ」ボタンが押下されることで表示される。ユーザは、この画面により設定内容を確認する。ユーザは、設定内容が正しければ「確認」を選択、正しくなければ再度設定を行う。再度設定を行う場合、ユーザは、「設定に戻る」ボタンを押下する。「設定に戻る」ボタンが押下されることで、画面が図６（ａ）の設定画面に遷移する。「確認」ボタンが選択される場合、この内容で対応設定情報が対応動作格納部５０９に格納される。
【００６１】
図７（ｂ）は、プリント出力を行わない場合の対応設定情報の確認のための画面である。この画面は、図６（ｇ）において「プリントしない」が選択された後に「次へ」ボタンが押下されることで表示される。ユーザは、この画面により設定内容を確認する。ユーザは、設定内容が正しければ「確認」を選択、正しくなければ再度設定を行う。再度設定を行う場合、ユーザは、「設定に戻る」ボタンを押下する。「設定に戻る」ボタンが押下されることで、画面が図６（ａ）の設定画面に遷移する。「確認」ボタンが選択される場合、この内容で対応設定情報が対応動作格納部５０９に格納される。
【００６２】
図７（ｃ）は、以上のような画面の操作により生成される、各重要度に対応する対応設定情報の例示図である。図８（ａ）、８（ｂ）は、このような対応設定情報の設定処理を表すフローチャートである。対応設定情報の設定処理時には、表示部４０１に、図５〜図７で説明した画面が表示される。ユーザは、この画面に応じて選択を行うことで対応設定情報を設定する。対応設定情報の設定処理は、通常、ＭＦＰ１００が起動して画像形成処理等の処理を行っていない状態のときに行われる。ＵＩ部２０６は、ＭＦＰ制御部５０１から入力されるＵＩ制御信号に応じて表示部４０１に画面を表示する。
【００６３】
ＵＩ部２０６の表示部４０１には、図５（ａ）の動作選択画面が表示される（Ｓ１１０１）。ＭＦＰ制御部５０１は、ユーザによる動作選択画面における選択結果を取得する。ユーザが動作選択画面から「設定」ボタン７０１を押下すると、ＭＦＰ制御部５０１は、設定変更が選択されたと判断する（Ｓ１１０２：Y）。この場合、ＭＦＰ制御部５０１は、図５（ｂ）の設定変更画面を表示部４０１に表示する（Ｓ１１０３）。なお、ユーザが「設定」ボタン７０１以外のボタンを押下した場合、ＭＦＰ制御部５０１は、押下されたボタンに関連付けられる処理が選択されたと判断して、当該処理を実行する（Ｓ１１０２：N）。
【００６４】
ＭＦＰ制御部５０１は、ユーザによる設定変更画面における選択結果を取得する。ユーザが設定変更画面から「防災設定」ボタン７０２を押下すると、ＭＦＰ制御部５０１は、防災設定が選択されたと判断する（Ｓ１１０４：Y）。この場合、ＭＦＰ制御部５０１は、図５（ｃ）の重要度選択画面を表示部４０１に表示する（Ｓ１１０５）。なお、ユーザが「防災設定」ボタン７０２以外のボタンを押下した場合、ＭＦＰ制御部５０１は、コピー、プリント、スキャンの動作時の設定が選択されたと判断して、ユーザに当該処理の設定を行わせる（Ｓ１１０４：N）。
【００６５】
ＭＦＰ制御部５０１は、ユーザによる重要度選択画面における選択結果を取得する。ユーザが重要度選択画面から「重要度・０」、「重要度・１」、「重要度・２」、「重要度・３」のいずれかを選択する。ＭＦＰ制御部５０１は、その選択結果を判断する（Ｓ１１０６）。ユーザが「重要度・０」を選択した場合（Ｓ１１０６：重要度０）、ＭＦＰ制御部５０１は、重要度が「０」の場合の対応設定情報の設定処理を行う（Ｓ１１０７）。ユーザが設定内容を確認して問題なければ（Ｓ１１０８：Y）、ＭＦＰ制御部５０１は、設定された内容で重要度が「０」の場合の対応設定情報を対応動作格納部５０９に格納して設定処理を終了する。
ユーザが「重要度・１」を選択した場合（Ｓ１１０６：重要度１）、ＭＦＰ制御部５０１は、重要度が「１」の場合の対応設定情報の設定処理を行う（Ｓ１１０９）。ユーザが設定内容を確認して問題なければ（Ｓ１１１０：Y）、ＭＦＰ制御部５０１は、設定された内容で重要度が「１」の場合の対応設定情報を対応動作格納部５０９に格納して設定処理を終了する。
ユーザが「重要度・２」を選択した場合（Ｓ１１０６：重要度２）、ＭＦＰ制御部５０１は、重要度が「２」の場合の対応設定情報の設定処理を行う（Ｓ１１１１）。ユーザが設定内容を確認して問題なければ（Ｓ１１１２：Y）、ＭＦＰ制御部５０１は、設定された内容で重要度が「２」の場合の対応設定情報を対応動作格納部５０９に格納して設定処理を終了する。
ユーザが「重要度・３」を選択した場合（Ｓ１１０６：重要度３）、ＭＦＰ制御部５０１は、重要度が「３」の場合の対応設定情報の設定処理を行う（Ｓ１１１３）。ユーザが設定内容を確認して問題なければ（Ｓ１１１４：Y）、ＭＦＰ制御部５０１は、設定された内容で重要度が「３」の場合の対応設定情報を対応動作格納部５０９に格納して設定処理を終了する。
対応設定情報の設定処理が終了すると、ＭＦＰ制御部５０１は、ＵＩ部２０６の表示部４０１に図５（ａ）の動作選択画面を表示する。
【００６６】
図８（ｂ）は、重要度が「０」の場合の対応設定情報の設定処理を表すフローチャートである。他の重要度「１〜３」の場合にも、ＭＦＰ制御部５０１は、同様の処理により対応設定情報を設定する。他の重要度の場合の処理については説明を省略する。
【００６７】
ユーザが「重要度・０」を選択すると、ＭＦＰ制御部５０１は、ＵＩ部２０６の表示部４０１に図６（ａ）の本文表示設定画面を表示する（Ｓ１２０１）。ＭＦＰ制御部５０１は、ユーザによる本文表示設定画面における選択結果を取得し、選択結果に応じて図４（ｂ）の対応設定情報の「表示部動作」を設定する（Ｓ１２０２）。本体表示設定画面の「次へ」ボタンが押下されることで、ＭＦＰ制御部５０１は、表示部４０１に図６（ｂ）の警告音設定画面を表示する。
【００６８】
ＭＦＰ制御部５０１は、ユーザによる警告音設定画面における選択結果を取得し、選択結果に応じて図４（ｂ）の対応設定情報の「スピーカ動作」の「警告音」を設定する（Ｓ１２０３）。警告音設定画面の「次へ」ボタンが押下されることで、ＭＦＰ制御部５０１は、表示部４０１に図６（ｃ）の音声通知設定画面を表示する。ＭＦＰ制御部５０１は、ユーザによる音声通知設定画面における選択結果を取得し、選択結果に応じて図４（ｂ）の対応設定情報の「スピーカ動作」の「音声」を設定する（Ｓ１２０４）。音声通知設定画面の「次へ」ボタンが押下されることで、ＭＦＰ制御部５０１は、表示部４０１に図６（ｄ）の音量設定画面を表示する。ＭＦＰ制御部５０１は、ユーザによる音量設定画面における選択結果を取得し、選択結果に応じて図４（ｂ）の対応設定情報の「スピーカ動作」の「音量」を設定する（Ｓ１２０５）。音量設定画面の「次へ」ボタンが押下されることで、ＭＦＰ制御部５０１は、表示部４０１に図６（ｅ）の発光部設定画面を表示する。
【００６９】
ＭＦＰ制御部５０１は、ユーザによる発光部設定画面における選択結果を取得し、選択結果に応じて図４（ｂ）の対応設定情報の「発光部動作」を設定する（Ｓ１２０６）。発光部設定画面の「次へ」ボタンが押下されることで、ＭＦＰ制御部５０１は、表示部４０１に図６（ｆ）の本文データ保存設定画面を表示する。
【００７０】
ＭＦＰ制御部５０１は、ユーザによる本文データ保存設定画面における選択結果を取得し、選択結果に応じて図４（ｂ）の対応設定情報の「データ保存設定」を設定する（Ｓ１２０７）。本文データ保存設定画面の「次へ」ボタンが押下されることで、ＭＦＰ制御部５０１は、表示部４０１に図６（ｇ）のプリント実行設定画面を表示する。
【００７１】
ＭＦＰ制御部５０１は、ユーザによる本文データ保存設定画面における選択結果を取得し、選択結果に応じて図４（ｂ）の対応設定情報の「データ保存設定」を設定する（Ｓ１２０７）。本文データ保存設定画面の「次へ」ボタンが押下されることで、ＭＦＰ制御部５０１は、表示部４０１に図６（ｇ）のプリント実行設定画面を表示する。ＭＦＰ制御部５０１は、ユーザによるプリント実行設定画面における選択結果を取得し、選択結果に応じて図４（ｂ）の対応設定情報の「プリント設定」を設定する（Ｓ１２０８）。プリント出力しないことが設定された場合（Ｓ１２０９：N）、ＭＦＰ制御部５０１は、プリント実行設定画面の「次へ」ボタンが押下されることで、表示部４０１に図７（ｂ）の設定確認画面を表示する。プリント出力しない場合には、これでＳ１１０７の処理が終了する。
プリント出力することが設定された場合（Ｓ１２０９：Y）、ＭＦＰ制御部５０１は、プリント実行設定画面の「次へ」ボタンが押下されることで、表示部４０１に図６（ｈ）のプリントファイル設定画面を表示する。
【００７２】
ＭＦＰ制御部５０１は、ユーザによるプリントファイル設定画面における選択結果を取得し、選択結果に応じて図４（ｂ）の対応設定情報の「プリントファイル情報」を設定する（Ｓ１２１０）。プリントファイル設定画面の「次へ」ボタンが押下されることで、ＭＦＰ制御部５０１は、表示部４０１に図６（ｉ）のプリント枚数設定画面を表示する。ＭＦＰ制御部５０１は、ユーザによるプリント枚数設定画面における選択結果を取得し、選択結果に応じて図４（ｂ）の対応設定情報の「枚数設定」を設定する（Ｓ１２１１）。以上によりＭＦＰ制御部５０１は、Ｓ１１０７の処理を終了する。
【００７３】
このような構成のＭＦＰ１００は、防災情報の受信時に、防災情報の重要度及び対応設定情報に基づいて防災情報の報知処理を行う。図９は、ＭＦＰ１００による防災情報の報知処理を表すフローチャートである。
【００７４】
ＭＦＰ１００は、起動しており、通常動作を行っているときに防災情報の受信を待機する（Ｓ２４０１、Ｓ２４０２）。「通常動作」は、コピー動作、プリント動作等を行っている状態、スタンバイ状態、スリープ状態等である。スタンバイ状態は、スキャン部２０４、プリント部２０５、及びＵＩ部２０６等に電源が投入されているが、動作はしていない状態である。スリープ状態は、無線受信部２０２にのみ電源が投入され、他の部分には電源が投入されていない状態である。
【００７５】
送信局６００から防災情報を受信した場合（Ｓ２４０２：Y）、ＭＦＰ１００は、無線受信部２０２により受信した防災情報を受信データに変換する（Ｓ２４０３）。無線受信部２０２は、受信データをヘッダ解析部５０８及びＭＦＰ制御部５０１に入力する。ヘッダ解析部５０８は、受信データのヘッダ部を解析して防災情報の重要度を認識する（Ｓ２４０４）。ヘッダ解析部５０８は、重要度を表すヘッダ情報をＭＦＰ制御部５０１に入力する。
【００７６】
ＭＦＰ制御部５０１は、ヘッダ解析部５０８から取得するヘッダ情報が表す重要度に応じて、対応動作格納部５０９から対応設定情報を取得する（Ｓ２４０５）。ＭＦＰ制御部５０１は、取得した対応設定情報により、ＵＩ部２０６を用いてユーザに防災情報の報知を行うか否かを判断する（Ｓ２４０６）。防災情報の報知を行う場合（Ｓ２４０６：Y）、ＭＦＰ制御部５０１は、対応設定情報の内容に応じた報知形態で、表示部４０１による文章の表示や、スピーカ４０３による音声の出力等を行う（Ｓ２４０７）。
【００７７】
防災情報の報知を行わない場合（Ｓ２４０６：N）、或いは防災情報の報知後に、ＭＦＰ制御部５０１は、対応設定情報に応じて、本文部の文章を表す本文データを格納するか否かを判断する（Ｓ２４０８）。本文データを格納する場合（Ｓ２４０８：Y）、ＭＦＰ制御部５０１は、受信データの本文部の本文データを本文データ格納部５１１に格納する（Ｓ２４０９）。
【００７８】
本文データを格納しない場合（Ｓ２４０８：N）、或いは本文データの格納後に、ＭＦＰ制御部５０１は、対応設定情報に応じて、災害時画像格納部５１０に格納した災害時画像をプリント出力するか否かを判断する（Ｓ２４１０）。プリント出力する場合（Ｓ２４１０：Y）、ＭＦＰ制御部５０１は、災害時画像格納部５１０に、該当する画像信号のプリントを指示する。これにより当該画像信号がプリント部２０５に送られプリント出力される（Ｓ２４１１）。プリント出力しない場合（Ｓ２４１０：N）、或いはプリント出力後にＭＦＰ制御部５０１は、ＭＦＰ１００を通常状態に戻して、防災情報受信時の処理を終了する。
【００７９】
プリント出力する場合、災害時画像格納部５１０に格納した災害時画像をそのままプリントすることになるが、災害時画像と防災情報とを組み合わせた画像をプリント出力するようにしてもよい。図１０は、災害時画像格納部５１０に格納した災害時画像と防災情報の内容を表す文章とを組み合わせたプリント出力する画像の例示図である。この画像には、防災情報の内容を表す文章２３０１及び災害時画像である地図画像２３０２が含まれる。
【００８０】
以上のようにＭＦＰ１００は、防災情報の受信時に、その内容から防災情報の重要度を判断し、重要度に応じた報知形態で防災情報を報知する。報知形態には、表示部４０１への表示、スピーカ４０３による音の出力、発光部４０４による光の点滅、防災情報関連の画像のプリント出力、防災情報の本文の保存等がある。報知形態は、重要度毎に用意される対応設定情報により設定される。このようなＭＦＰ１００は、防災情報に応じた適切なユーザへの報知を可能とする。
【００８１】
＜第２実施形態＞
ＭＦＰ１００は、重要度の他に、本文部の文章の内容によっても防災情報の報知形態を変更するようにしてもよい。これは、防災情報の種類、時間、対象地域によっては、ユーザにとっての防災情報の緊急性が変化することに対応するためである。第２実施形態のＭＦＰ１００は、第１実施形態と同様に、防災情報に含まれる重要度に応じて防災情報の報知や本文部の文章の保存を行うが、これに加えて、防災情報の本文部の文章の内容に応じて防災情報の報知や文章の保存を行う。
【００８２】
防災無線システムで配信される防災情報に含まれる文章は、ある程度決まったフォーマットで作成される。そのために文章には内容を認識するために必要なキーワードが含まれる。具体的には、「大雨」や「洪水」、「地震」等の災害の種類に関するワード、「茨城県南部」や「２３区」と言った地域に関するワード、「明日」、「本日午後」等の時間に関するワード等が、本文部の文章の内容を認識するためのキーワードとなる。第２実施形態では、これらのキーワードに応じて、ＭＦＰ１００が防災情報の報知を行う。
【００８３】
第１実施形態の防災無線システムとの比較では、第２実施形態の防災無線システムは、ＭＦＰ１００のコントローラ部の構成が異なり、他の構成は同様の構成である。第１実施形態と同様の構成については説明を省略する。図１１は、ＭＦＰ１００が備える第２実施形態のコントローラ部１４００の説明図である。図１１（ａ）はコントローラ部１４００の構成図である。コントローラ部１４００は、第１実施形態のコントローラ部（図３（ｂ）参照）にキーワード格納部１４０１及びキーワード解析部１４０２を追加した構成である。他の同じ構成部分については説明を省略する。
【００８４】
キーワード格納部１４０１は、メモリ等の記憶媒体によって構成され、防災情報の受信時にＭＦＰ１００の動作を制御するためのキーワードを格納する。キーワード格納部１４０１に格納されるキーワードは、防災情報の報知形態を決定する要因となる。図１１（ｂ）は、キーワード格納部１４０１に格納されるキーワードの例示図である。
【００８５】
キーワードは、「災害情報」、「地域情報」、「時間情報」の３つに分類されて格納される。「災害情報」は、例えば、「地震・津波・大雨・強風・竜巻・洪水・波浪・高潮」をキーワードとする。「地域情報」は、例えば、「都内・多摩地区・埼玉県南部・埼玉県北部・千葉県南部・千葉県北部・茨城県南部・茨城県北部」をキーワードとする。「時間情報」は、例えば「只今・秒後・分後・時間後・午前・午後・今夜・明日」をキーワードとする。各キーワードは、シフトＪＩＳコードとして、キーワード格納部１４０１に格納される。
【００８６】
キーワード解析部１４０２は、受信データと、キーワード格納部１４０１に格納されたキーワードとのパターンマッチングを行い、一致したキーワードの有無を、キーワード情報としてＭＦＰ制御部５０１に入力する。図１２は、キーワード情報の説明図である。キーワード解析部１４０２は、キーワードの分類に応じてキーワード情報を生成する。本実施形態では、キーワードが「災害情報」、「地域情報」、「時間情報」の３つに分類されるため、キーワード情報も「災害情報」、「地域情報」、「時間情報」の３つが生成される。３つのキーワード情報が一連の情報としてＭＦＰ制御部５０１へ送られる。
【００８７】
図１２（ａ）は、災害情報に関するキーワード情報（災害キーワード情報）を表す。災害キーワード情報は、本実施形態では８ビットのデータで表され、上位ビットから順に、地震・津波・大雨・強風・竜巻・洪水・波浪・高潮の各キーワードの有無を表す。例えば、受信した防災情報の本文部に「大雨洪水警報」というワードが含まれている場合、災害キーワード情報は、「00100100」という８ビットのデータとなる。なお、災害情報のキーワードの数に応じて、災害キーワード情報のビット数が決まる。
図１２（ｂ）は、地域情報に関するキーワード情報（地域キーワード情報）を表す。地域キーワード情報は、本実施形態では８ビットのデータで表され、上位ビットから順に、都内・多摩地区・埼玉県南部・埼玉県北部・千葉県南部・千葉県北部・茨城県南部・茨城県北部の各キーワードの有無を表す。例えば、受信した防災情報の本文部に、「都内２３区及び埼玉県南部」というワードが含まれている場合、地域キーワード情報は、「10100000」という８ビットのデータとなる。なお、地域情報のキーワードの数に応じて、地域キーワード情報のビット数が決まる。
図１２（ｃ）は、時間情報に関するキーワード情報（時間キーワード情報）を表す。時間キーワード情報は、本実施形態では８ビットのデータで表され、上位ビットから順に、只今・秒後・分後・時間後・午前・午後・今夜・明日の各キーワードの有無を表す。例えば、受信した防災情報の本文部に、「今夜から明日にかけて」というワードが含まれている場合、災害キーワード情報の８は、「00000011」という８ビットのデータとなる。なお、時間情報のキーワードの数に応じて、時間キーワード情報のビット数が決まる。
【００８８】
ＭＦＰ制御部５０１は、キーワード解析部１４０２から取得するキーワード情報、ヘッダ解析部５０８から取得するヘッダ情報、受信データ、及び対応動作格納部５０９に格納される対応設定情報により、防災情報の報知形態を決定する。ＭＦＰ制御部５０１は、決定した報知形態を表すＵＩ制御信号を生成してＵＩ部２０６に入力する。ＵＩ部２０６は、ＭＦＰ制御部５０１から取得したＵＩ制御信号に応じた報知形態で、防災情報をユーザに報知する。
【００８９】
対応動作格納部５０９は、重要度毎の対応設定情報の他に、キーワード情報との比較対象となるキーワード設定情報が格納される。本実施形態のキーワード設定情報は、キーワード解析部１４０２から送られるキーワード情報と同様のデータ構造であり、各々８ビットの災害キーワード設定情報、地域キーワード設定情報、時間キーワード設定情報の２４ビットで構成される。キーワード設定情報の各ビットの項目は、キーワード情報の各ビットの項目に対応する。キーワード設定情報は、対応動作格納部５０９内に、例えばアドレス「0100-0000 h」を先頭番地として格納される。重要度０〜３の対応設定情報が格納されるアドレスの先頭番地は、第１実施形態と同様である（図４（ｃ）参照）。
【００９０】
キーワード設定情報は、例えば防災情報の受信時にＭＦＰ１００を動作させたい場合のキーワードに「１」、動作不要の場合のキーワードに「０」が設定される。例えば災害の種類に関して、地震と津波に関する防災情報を受信したときにＭＦＰ１００を動作させる場合、災害キーワード設定情報を「11000000」に設定する。地域に関して、千葉県南部、千葉県北部に関する防災情報を受信したときにＭＦＰ１００を動作させる場合、地域キーワード設定情報を「00001100」に設定する。時間に関して、只今、秒後、分後、時間後というキーワードを含む防災情報を受信したときにＭＦＰ１００を動作させる場合、時間キーワード設定情報を「11110000」に設定する。
【００９１】
各重要度の対応設定情報は、ヘッダ情報に基づいてＭＦＰ制御部５０１に用いられる。ただし、ＭＦＰ制御部５０１は、キーワード解析部１４０２から取得するキーワード情報に、ＭＦＰ１００を動作させたい場合のキーワードが含まれる場合に、処理を行う。ＭＦＰ制御部５０１は、キーワード情報とキーワード設定情報とを比較することで、キーワード情報に、ＭＦＰ１００を動作させたい場合のキーワードが含まれるか否かを判断する。
【００９２】
図１３は、キーワード設定情報の設定の際に、ＵＩ部２０６の表示部４０１に表示される設定画面の例示図である。
【００９３】
図１３（ａ）は、災害キーワード設定情報の設定を行う画面である。ユーザは、表示されているキーワードから、防災情報の本文部に含まれている場合にＭＦＰ１００を動作させるためのキーワードを選択する。ユーザの選択結果に応じて、災害キーワード設定情報の該当するビットが「１」に設定される。「次へ」ボタンが押下されることで、他のキーワード設定情報の設定画面に画面が遷移する。
【００９４】
図１３（ｂ）は、地域キーワード設定情報の設定を行う画面である。ユーザは、表示されているキーワードから、防災情報の本文部に含まれている場合にＭＦＰ１００を動作させるためのキーワードを選択する。ユーザの選択結果に応じて、地域キーワード設定情報の該当するビットが「１」に設定される。「次へ」ボタンが押下されることで、他のキーワード設定情報の設定画面に画面が遷移する。
【００９５】
図１３（ｃ）は、時間キーワード設定情報の設定を行う画面である。ユーザは、表示されているキーワードから、防災情報の本文部に含まれている場合にＭＦＰ１００を動作させるためのキーワードを選択する。ユーザの選択結果に応じて、時間キーワード設定情報の該当するビットが「１」に設定される。「次へ」ボタンが押下されることで、他のキーワード設定情報の設定が終了して、例えば図５（ｃ）に示すような重要度の選択画面に画面が遷移する。図１３（ａ）〜１３（ｃ）の各画面により設定されたキーワード設定情報は、キーワード格納部１４０１に格納される。
【００９６】
図１４は、キーワード設定情報及び対応設定情報の設定処理を表すフローチャートである。この処理は、図８（ａ）に示す対応設定情報の設定処理に、キーワード設定情報の設定処理が追加された処理である。Ｓ１７０１〜Ｓ１７０４の処理は、図８（ａ）のＳ１１０１〜Ｓ１１０４の処理と同様であるので説明を省略する。
【００９７】
ＭＦＰ制御部５０１は、設定変更画面の「防災設定」ボタン７０２が押下されて防災設定が選択されたと判断すると（Ｓ１７０４：Y）、図１３（ａ）の災害設定画面を表示部４０１に表示する。ユーザが災害設定画面からキーワードを選択することで、ＭＦＰ制御部５０１は、災害キーワード設定情報を設定する（Ｓ１７０５）。ユーザが災害設定画面からキーワードを選択した後に「次へ」ボタンを押下することで、ＭＦＰ制御部５０１は、図１３（ｂ）の地域設定画面を表示部４０１に表示する。
【００９８】
ユーザが地域設定画面からキーワードを選択することで、ＭＦＰ制御部５０１は、地域キーワード設定情報を設定する（Ｓ１７０６）。ユーザが地域設定画面からキーワードを選択した後に「次へ」ボタンを押下することで、ＭＦＰ制御部５０１は、図１３（ｃ）の時間設定画面を表示部４０１に表示する。
【００９９】
ユーザが時間設定画面からキーワードを選択することで、ＭＦＰ制御部５０１は、時間キーワード設定情報を設定する（Ｓ１７０７）。ユーザが災害設定画面からキーワードを選択した後に「次へ」ボタンを押下することで、ＭＦＰ制御部５０１は、図５（ｃ）の重要度選択画面を表示部４０１に表示する。
【０１００】
本実施形態では、ＭＦＰ制御部５０１は、Ｓ１７０５〜Ｓ１７０７の処理により、選択されたキーワードに該当するビットを「１」に、選択されていないキーワードに該当するビットを「０」に設定する。Ｓ１７０８〜Ｓ１１１７の処理は、図８（ａ）のＳ１１０５〜Ｓ１１１４の処理と同様の処理であるので説明を省略する。以上の処理によりキーワード設定情報及び対応設定情報が設定されて、対応動作格納部５０９に格納される。図１５は、キーワード設定情報及び対応設定情報の例示図である。
【０１０１】
図１６は、第２実施形態のＭＦＰ１００による防災情報の報知処理を表すフローチャートである。この処理は、図９に示す第１実施形態の防災情報の報知処理に、キーワードの解析処理が追加された処理である。Ｓ２５０１〜Ｓ２５０３の処理は、図９のＳ２４０１〜Ｓ２４０３の処理と同様であるので説明を省略する。
【０１０２】
キーワード解析部１４０２は、受信データを取得して、本文部の文章の解析を行う（Ｓ２５０４）。キーワード解析部１４０２は、受信データとキーワード格納部１４０１に予め格納されたキーワードとを比較して、一致したキーワードを表すキーワード情報を生成する。キーワード解析部１４０２は、生成したキーワード情報をＭＦＰ制御部５０１に入力する。
【０１０３】
ＭＦＰ制御部５０１は、キーワード解析部１４０２から取得したキーワード情報と対応動作格納部５０９に格納されるキーワード設定情報とを比較して、一致するキーワードの有無を判断する（Ｓ２５０５）。これにより、防災情報にユーザが設定したキーワードが含まれるか否かが判断される。一致するキーワードが無い場合（Ｓ２５０５：N）、ＭＦＰ制御部５０１は、防災情報にユーザが設定したキーワードが含まれていないと判断して、ＭＦＰ１００を通常動作の状態にする。一致するキーワードが有る場合（Ｓ２５０５：Y）ＭＦＰ制御部５０１は、防災情報にユーザが設定したキーワードが含まれていると判断して、Ｓ２５０６以降の処理を行う。Ｓ２５０６以降の処理は、図９のＳ２４０４以降の処理と同様であるので説明を省略する。
【０１０４】
以上のようにＭＦＰ１００は、防災情報の受信時に、防災情報の重要度及び防災情報の文章に含まれるキーワードを判断し、キーワードの判断結果及び重要度に応じた報知形態で防災情報を報知する。本実施形態では、ＭＦＰ１００は、ユーザが設定したキーワードが防災情報に含まれていれば防災情報を報知し、含まれていなければ報知しない。そのために、よりユーザの希望する報知形態で防災情報が報知可能となる。
【０１０５】
＜第３実施形態＞
ＭＦＰ１００は、同じ重要度であっても災害の種類や地域情報、時間情報により防災情報の報知形態を変更するようにしてもよい。この場合、ＭＦＰ１００は、第１、第２実施形態と同様に、防災情報に含まれる重要度に応じて防災情報の報知や本文部の文章の保存を行うが、そのための対応設定情報の内容が異なる。
第３実施形態の防災無線システムは、第２実施形態の防災無線システムと同様の構成であるため、構成の説明を省略する。第３実施形態では、対応動作格納部５０９に格納される対応設定情報が第２実施形態とは異なる。図１７は、第３実施形態の対応設定情報の説明図である。
【０１０６】
対応動作格納部５０９は、図１７（ａ）に例示するデータ構造を有する対応設定情報を格納する。この対応設定情報は、第１実施形態で説明した図４（ｂ）の対応設定情報と、第２実施形態で説明したキーワード設定情報とを組み合わせた構成である。ＭＦＰ制御部５０１は、第２実施形態と同様の処理により図４（ｂ）の対応設定情報と、キーワード設定情報とを取得し、これを組み合わせて図１７（ａ）のデータ構造の対応設定情報を生成する。この対応設定情報は、重要度毎に格納される。また対応設定情報は、同じ重要度であってもキーワード設定情報によって複数の設定が可能である。図１７（ｂ）は、重要度毎、キーワード情報毎の対応設定情報の例示図である。図１７（ｂ）では、重要度２、重要度３について、キーワード情報に応じて複数の対応設定情報が設定される。
【０１０７】
このような構成の対応設定情報を格納する対応動作格納部５０９は、メモリ等の記憶デバイスにより構成される。図１７（ｃ）は、対応動作格納部５０９に格納される対応設定情報の先頭アドレスの例示図である。図１７（ｃ）の例では、対応動作格納部５０９のアドレス「0000-0000 h」を先頭番地として、重要度０のときの対応設定情報が格納される。対応動作格納部５０９のアドレス「0001-0000 h」を先頭番地として、重要度１のときの対応設定情報が格納される。対応動作格納部５０９のアドレス「0010-0000 h」を先頭番地として、重要度２のときの対応設定情報が格納される。対応動作格納部５０９のアドレス「0011-0000 h」を先頭番地として、重要度３のときの対応設定情報が格納される。
【０１０８】
同じ重要度で複数の対応設定情報を格納する場合、アドレスの１６〜１９ビット目が使用される。例えば、「重要度２」の対応設定情報に関して、災害情報や地域情報等に応じて複数の対応設定情報を格納する場合、地震に関する対応設定情報は、対応動作格納部５０９のアドレス「0010-0000 h」に格納される。また、大雨や強風に関する対応設定情報は、対応動作格納部５０９のアドレス「0010-1000 h」に格納される。波浪や高潮に関する対応設定情報は、対応動作格納部５０９のアドレス「0010-2000 h」に格納される。
【０１０９】
防災情報の受信時にＭＦＰ制御部５０１は、ヘッダ解析部５０８からヘッダ情報を取得し、キーワード解析部１４０２からキーワード情報を取得する。ＭＦＰ制御部５０１は、取得したヘッダ情報が「００」の場合、防災情報が「重要度０」と判断し、アドレス「0000-0000 h」を先頭番地とした対応設定情報に設定されたキーワード設定情報と取得したキーワード情報とのパターンマッチングを行う。キーワードが一致する場合、ＭＦＰ制御部５０１は、当該対応設定情報に基づいてＭＦＰ１００の各部の動作を制御して、当該対応設定情報に応じた報知形態で防災情報を報知する。また、対応設定情報が複数設定されている場合、ＭＦＰ制御部５０１は、対応設定情報毎にパターンマッチングを行い、ＭＦＰ１００の各部の動作を制御する。
ＭＦＰ制御部５０１は、取得したヘッダ情報が「０１」の場合、防災情報が「重要度１」と判断して同様の処理を行う。ＭＦＰ制御部５０１は、取得したヘッダ情報が「１０」の場合、防災情報が「重要度２」と判断して同様の処理を行う。ＭＦＰ制御部５０１は、取得したヘッダ情報が「１１」の場合、防災情報が「重要度３」と判断して同様の処理を行う。
【０１１０】
このような対応設定情報の設定処理は、図８（ａ）と同様の処理により行われるが、対応設定情報に含まれる項目が異なるために、図８（ｂ）に示す重要度毎の設定処理が異なる。図１８は、第３実施形態の重要度毎の対応設定情報の設定処理を表すフローチャートである。ここでは、重要度が「０」の場合を例に説明するが、他の重要度の対応設定情報を設定する際にも同様の処理が行われる。
【０１１１】
ユーザが「重要度・０」を選択すると（図８（ａ）のＳ１１０６：重要度０）、ＭＦＰ制御部５０１は、ＵＩ部２０６の表示部４０１に図１３（ａ）の災害設定画面を表示する。ユーザが災害設定画面からキーワードを選択することで、ＭＦＰ制御部５０１は、災害キーワード設定情報を設定する（Ｓ２１０２）。ユーザが災害設定画面からキーワードを選択した後に「次へ」ボタンを押下することで、ＭＦＰ制御部５０１は、図１３（ｂ）の地域設定画面を表示部４０１に表示する。
【０１１２】
ユーザが地域設定画面からキーワードを選択することで、ＭＦＰ制御部５０１は、地域キーワード設定情報を設定する（Ｓ２１０３）。ユーザが地域設定画面からキーワードを選択した後に「次へ」ボタンを押下することで、ＭＦＰ制御部５０１は、図１３（ｃ）の時間設定画面を表示部４０１に表示する。
【０１１３】
ユーザが時間設定画面からキーワードを選択することで、ＭＦＰ制御部５０１は、時間キーワード設定情報を設定する（Ｓ２１０４）。ユーザが災害設定画面からキーワードを選択した後に「次へ」ボタンを押下することで、ＭＦＰ制御部５０１は、図６（ａ）の本文表示設定画面を表示部４０１に表示する。
本実施形態では、ＭＦＰ制御部５０１は、Ｓ２１０２〜Ｓ２１０４の処理により、選択されたキーワードに該当するビットを「１」に、選択されていないキーワードに該当するビットを「０」に設定する。
【０１１４】
本文表示設定画面が表示された以降のＳ２１０５〜Ｓ２１１４の処理は、図８（ｂ）のＳ１２０２〜Ｓ１２１１の処理と同様であるので説明を省略する。Ｓ２１１４の処理でプリント枚数を設定した後、或いはＳ２１１２の処理でプリント出力を行わないと判断した後に、ＭＦＰ制御部５０１は、同じ重要度で対応設定情報を設定するか否かを選択するための画面を表示部４０１に表示する（Ｓ２１１５）。この画面に応じてユーザが同じ重要度で対応設定情報を設定する旨の入力を行う場合（Ｓ２１１５：Y）、ＭＦＰ制御部５０１は、Ｓ２１０２の処理に戻って、同じ重要度の対応設定情報の設定処理を続けて行う。ユーザが同じ重要度で対応設定情報を設定しない旨の入力を行う場合（Ｓ２１１５：N）、ＭＦＰ制御部５０１は、Ｓ１１０７の処理（図８（ａ）参照）を終了する。
【０１１５】
以上のような処理が繰り返し行われることで、図１７（ｃ）のような重要度毎、キーワード毎の対応設定情報が設定される。防災情報の報知処理は、第１、第２実施形態と同様に行われる。そのために、ＭＦＰ１００は、防災情報の重要度及び防災情報に含まれる文章に応じて、ユーザの希望する報知形態で防災情報が報知可能となる。
【０１１６】
＜第４実施形態＞
ＭＦＰ１００は、ＵＩ部２０６にパトランプのような回転灯を設けることで、例えば大震災レベルの災害を通知する防災情報を受信したときに、ユーザに対して強い警告を与えることができる。また、回転灯の他に、液晶ディスプレイのバックライトの色を変化させることで、重要度に応じて報知形態で防災情報を報知してもよい。第４実施形態のＭＦＰ１００は、このような報知形態を実現するための構成を備える。
【０１１７】
第４実施形態の防災無線システムは、第１実施形態の防災無線システムと同様の構成であるため説明を省略する。第４実施形態では、ＭＦＰ１００が備えるＵＩ部の構成が第１〜第３実施形態とは異なる。ＵＩ部の構成について説明し、他の実施形態と同様の他の構成については説明を省略する。
【０１１８】
図１９は、第４実施形態のＵＩ部の構成図である。図１９のＵＩ部２０６１は、図３（ａ）のＵＩ部２０６の構成に回転灯２６０２を追加した構成である。また、表示部４０１はバックライトを備えたディスプレイであり、バックライトの動作を制御するためのバックライト制御部２６０１を備える。図３（ａ）のＵＩ部２０６と同様の構成については説明を省略する。
【０１１９】
バックライト制御部２６０１は、ＵＩ制御部４０６を介したコントローラ部２０３の制御により、表示部４０１のバックライトの色を変化させる。表示部４０１のバックライトは、通常使用時の白色以外に、例えば青色、オレンジ色、赤色で発光する。バックライト制御部２６０１は、コントローラ部２０３の指示に応じて、これらの色のいずれかでバックライトを発光させる。なお、バックライトは、これら以外の色で発光するものであってもよい。
回転灯２６０２は、ＵＩ制御部４０６を介したコントローラ部２０３の制御により発光、回転する。回転灯２６０２は、複数の色で発光可能であり、例えば青色、オレンジ色、赤色のいずれかの色が選択されて発光する。なお、回転灯２６０２は、これら以外の色で発光するものであってもよい。
【０１２０】
コントローラ部２０３は、ＵＩ制御信号によりＵＩ部２０６１の動作を制御する。コントローラ部２０３は、ＵＩ制御信号を生成するための対応設定情報を対応動作格納部５０９に格納する。図２０は、ＵＩ制御信号及び対応設定情報の説明図である。
【０１２１】
図２０（ａ）は、ＵＩ制御信号の構成を例示する。このＵＩ制御信号は、図４（ａ）に示す第１実施形態のＵＩ制御信号に、「バックライト色」、「回転灯動作」、及び「回転灯色」を追加した構成である。ＵＩ制御信号の他の項目は図４（ａ）と同様であるため説明を省略する。
【０１２２】
「バックライト色」は、表示部４０１のバックライトの色の設定を行う。「バックライト色」は、２ビットのデータで表される。例えば、「バックライト色」は、「００」の場合に通常動作時の「白色」、「０１」の場合に「青色」、「１０」の場合に「オレンジ色」、「１１」の場合に「赤色」を表す。
【０１２３】
「回転灯動作」は、回転灯２６０２に対して発光するか否かの設定を行う。「回転灯動作」は、１ビットのデータで表される。例えば「回転灯動作」は、「０」の場合に「発光しない」、「１」の場合に「発光する」を表す。
【０１２４】
「回転灯色」は、回転灯２６０２の発光色の設定を行う。「回転灯色」は、２ビットのデータで表される。例えば、「回転灯色」は、「００」の場合に「発光しない」、「０１」の場合に「青色」、「１０」の場合に「オレンジ色」、「１１」の場合に「赤色」を表す。
【０１２５】
図２０（ｂ）は、対応設定情報の構成を例示する。この対応設定情報は、図４（ｂ）に示す第１実施形態の対応設定情報に、「バックライト色」、「回転灯動作」、及び「回転灯色」を追加した構成である。対応設定情報の他の項目は図４（ｂ）と同様であるため説明を省略する。第４実施形態の対応設定情報も、他の実施形態の対応設定情報と同様に、重要度毎に対応動作格納部５０９に格納される。
【０１２６】
対応設定情報の「バックライト色」、「回転灯動作」、及び「回転灯色」は、それぞれＵＩ制御信号の「バックライト色」、「回転灯動作」、及び「回転灯色」と同様のデータ構成である。図２０（ｃ）は、各重要度に対応する対応設定情報の例示図である。対応設定情報は、対応動作格納部５０９に、例えば図４（ｃ）で示すアドレスで格納される。
【０１２７】
図２１、図２２は、対応設定情報の設定の際に、ＵＩ部２０６の表示部４０１に表示される設定画面の例示図である。
【０１２８】
図２１（ａ）は、バックライト色の設定を行う画面である。ユーザは、表示されている色からいずれかを選択する。図２１（ａ）では、「白」、「青」、「オレンジ」、「赤」が選択可能な色である。具体的な設定例としては、重要度が「０」の場合は「白」、重要度が「１」の場合は「青」、重要度が「２」の場合は「オレンジ」、重要度が「３」の場合は「赤」と、重要度が高くなるほど、ユーザが危険を認識するような色にバックライト色を設定可能である。
「白」が選択された場合、対応設定情報の「バックライト色」に「００」が設定される。「青」が選択された場合、対応設定情報の「バックライト色」に「０１」が設定される。「オレンジ」が選択された場合、対応設定情報の「バックライト色」に「１０」が設定される。「赤」が選択された場合、対応設定情報の「バックライト色」に「１１」が設定される。「次へ」ボタンが押下されることで、対応設定情報の次の項目の設定画面に画面が遷移する。
【０１２９】
図２１（ｂ）は、回転灯２６０２の動作設定を行う画面である。ユーザは、「動作する」、「動作しない」のいずれかを選択する。「動作する」が選択された場合、対応設定情報の「回転灯動作」に「１」が設定される。「動作しない」が選択された場合、対応設定情報の「回転灯動作」に「０」が設定される。「次へ」ボタンが押下されることで画面が遷移する。
【０１３０】
図２１（ｃ）は、回転灯２６０２の色の設定を行う画面である。図２１（ｃ）は、図２１（ａ）で「動作する」が選択された後に「次へ」ボタンが押下されることで表示される。ユーザは、表示されている色からいずれかを選択する。図２１（ｃ）では、「青」、「オレンジ」、「赤」が選択可能な色である。具体的な設定例としては、重要度が「１」の場合は「青」、重要度が「２」の場合は「オレンジ」、重要度が「３」の場合は「赤」と、重要度が高くなるほど、ユーザが危険を認識するような色に回転灯２６０２」の色を設定可能である。
「白」が選択された場合、対応設定情報の「回転灯色」に「００」が設定される。「青」が選択された場合、対応設定情報の「回転灯色」に「０１」が設定される。「オレンジ」が選択された場合、対応設定情報の「回転灯色」に「１０」が設定される。「赤」が選択された場合、対応設定情報の「回転灯色」に「１１」が設定される。「次へ」ボタンが押下されることで画面が遷移する。
【０１３１】
図２２（ａ）は、回転灯２６０２が動作しない場合の対応設定情報の確認のための画面である。図２２（ａ）は、図２１（ｂ）で「動作しない」が選択された後に「次へ」ボタンが押下されることで表示される。ユーザは、この画面により設定内容を確認する。ユーザは、設定内容が正しければ「確認」を選択、正しくなければ再度設定を行う。再度設定を行う場合、ユーザは、「設定に戻る」ボタンを押下する。「設定に戻る」ボタンが押下されることで、画面が図６（ａ）の設定画面に遷移する。「確認」ボタンが選択される場合、この内容で対応設定情報が対応動作格納部５０９に格納される。
【０１３２】
図２２（ｂ）は、回転灯２６０２が動作する場合の対応設定情報の確認のための画面である。図２２（ｂ）は、図２１（ｃ）において「次へ」ボタンが押下されることで表示される。ユーザは、この画面により設定内容を確認する。ユーザは、設定内容が正しければ「確認」を選択、正しくなければ再度設定を行う。再度設定を行う場合、ユーザは、「設定に戻る」ボタンを押下する。「設定に戻る」ボタンが押下されることで、画面が図６（ａ）の設定画面に遷移する。「確認」ボタンが選択される場合、この内容で対応設定情報が対応動作格納部５０９に格納される。
【０１３３】
このような対応設定情報の設定処理は、図８（ａ）と同様の処理により行われるが、対応設定情報に含まれる項目が異なるために、図８（ｂ）に示す重要度毎の設定処理が異なる。図２３は、第４実施形態の重要度毎の対応設定情報の設定処理を表すフローチャートである。ここでは、重要度が「０」の場合を例に説明するが、他の重要度の対応設定情報を設定する際にも同様の処理が行われる。
【０１３４】
ユーザが「重要度・０」を選択すると（図８（ａ）のＳ１１０６：重要度０）、ＭＦＰ制御部５０１は、図８（ｂ）のＳ１２０２〜Ｓ１２０７の処理と同様のＳ３２０２〜Ｓ３２０７の処理を行う。Ｓ１２０２〜Ｓ１２０７の処理の説明は省略する。ＭＦＰ制御部５０１は、Ｓ３２０７の処理で対応設定情報の「データ保存設定」の設定が終了すると、本文データ保存設定画面の「次へ」ボタンが押下されることで、表示部４０１に図２１（ａ）のバックライト設定画面を表示する。ユーザがバックライト設定画面から色を選択することで、ＭＦＰ制御部５０１は、対応設定情報の「バックライト色」を設定する（Ｓ３２０８）。ここでは、重要度０の対応設定情報を設定するため、ユーザは、「白」を選択する。ユーザがバックライト設定画面から色を選択した後に「次へ」ボタンを押下することで、ＭＦＰ制御部５０１は、図２１（ｂ）の回転灯動作画面を表示部４０１に表示する。
【０１３５】
ユーザが回転灯動作設定画面から「動作する」、「動作しない」のいずれかを選択することで、ＭＦＰ制御部５０１は、対応設定情報の「回転灯動作」を設定する（Ｓ３２０９）。ＭＦＰ制御部５０１は、「動作する」が選択された後に「次へ」ボタンが押下される場合（Ｓ３２１０：Y）、図２１（ｃ）の回転灯色設定画面を表示部４０１に表示する。ユーザが回転灯色設定画面から色を選択することで、ＭＦＰ制御部５０１は、対応設定情報の「回転灯色」を設定する（Ｓ３２１１）。ユーザが回転灯色設定画面から色を選択した後に「次へ」ボタンを押下することで、ＭＦＰ制御部５０１は、表示部４０１に図６（ｇ）のプリント実行設定画面を表示する。ＭＦＰ制御部５０１は、回転灯動作設定画面から「動作しない」が選択された後に「次へ」ボタンが押下される場合（Ｓ３２１０：N）にも、表示部４０１に図６（ｇ）のプリント実行設定画面を表示する。ここでは、重要度０の対応設定情報を設定するため、ユーザは回転灯動作設定画面から「動作しない」を選択する。
【０１３６】
プリント実行設定画面を表示した後に行われるＳ３２１２以降の処理は、図８（ｂ）のＳ１２０８以降の処理と同様であるため、説明を省略する。以上の処理により、ＭＦＰ制御部５０１は、Ｓ１１０７の処理（図８（ａ）参照）を終了する。
【０１３７】
図２４は、第４実施形態のＭＦＰ１００による防災情報の報知処理を表すフローチャートである。この処理は、図９に示す第１実施形態の防災情報の報知処理に、報知停止の指示が追加された処理である。報知停止の指示は、ＵＩ部２０６を用いてユーザにより入力される。
【０１３８】
Ｓ３３０１〜Ｓ３３１１の処理は、図９のＳ２４０１〜Ｓ２４１１の処理と同様である。ただしＳ３３０７の処理では、ＭＦＰ制御部５０１は、対応設定情報の内容に応じて、表示部４０１による文章の表示やスピーカ４０３による音声の出力等の他に、バックライト色の変更や、回転灯２６０２の所定の色による発光により、防災情報の報知を行う。
【０１３９】
ＭＦＰ制御部５０１は、プリント出力終了後（Ｓ３３１１）、或いはプリント出力を行わない場合（Ｓ３３１０：N）、報知停止の指示を入力するための画面を表示部４０１に表示する。図２５は、報知停止の指示を入力するための画面の例示図である。図２５（ａ）は、重要度が高い防災情報を報知しているときに表示される画面である。図２５（ｂ）は、重要度が低い防災情報を報知しているときに表示される画面である。いずれの画面においても、ユーザが「停止」ボタンを押下することで、ＭＦＰ制御部５０１に防災情報の報知の停止指示が入力される。
【０１４０】
ＭＦＰ制御部５０１は、ＵＩ部２０６から入力される防災情報の報知の停止指示に応じて、報知を終了するＵＩ制御信号をＵＩ部２０６に入力する。ＵＩ部２０６は、このＵＩ制御信号に応じて、バックライト、スピーカ４０３、発光部４０４、及び回転灯２６０２による報知を終了する（Ｓ３３１２：Y）。報知を終了したＭＦＰ制御部５０１は、ＭＦＰ１００を通常状態に戻す。
【０１４１】
本実施形態では、ユーザが「停止」ボタンを押下してＭＦＰ制御部５０１に防災情報の報知の停止指示が入力されるまで、防災情報の報知が継続して行われることになる。なお、図２５に例示する画面の表示を行わず、例えばＵＩ部２０６は、ユーザが表示部４０１のタッチを繰り返し行うことで、防災情報の報知の停止指示をＭＦＰ制御部５０１に入力するようにしてもよい。また、停止指示がキー入力部４０２を用いたキー入力により入力されてもよい。
【０１４２】
以上のようにＭＦＰ１００は、防災情報の受信時に、防災情報の重要度に応じた報知形態で防災情報を報知する。報知形態には、表示部４０１への表示、スピーカ４０３による音の出力、発光部４０４による光の点滅、防災情報関連の画像のプリント出力、防災情報の本文の保存の他に、バックライトの色の変化や回転灯２６０２を用いることができる。そのためにＭＦＰ１００は、ユーザに対して強い警告を与えることができるようになる。また、ＭＦＰ１００は、ユーザの判断により報知を停止することができるようになる。なお、ＭＦＰ１００は、第１〜第４実施形態の構成を組み合わせた構成であってもよい。
【０１４３】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
0006579869.tif 000002
【図２】
0006579869.tif 000003
【図３】
0006579869.tif 000004
【図４】
0006579869.tif 000005
【図５】
0006579869.tif 000006
【図６】
0006579869.tif 000007
【図７】
0006579869.tif 000008
【図８】
0006579869.tif 000009
【図９】
0006579869.tif 000010
【図１０】
0006579869.tif 000011
【図１１】
0006579869.tif 000012
【図１２】
0006579869.tif 000013
【図１３】
0006579869.tif 000014
【図１４】
0006579869.tif 000015
【図１５】
0006579869.tif 000016
【図１６】
0006579869.tif 000017
【図１７】
0006579869.tif 000018
【図１８】
0006579869.tif 000019
【図１９】
0006579869.tif 000020
【図２０】
0006579869.tif 000021
【図２１】
0006579869.tif 000022
【図２２】
0006579869.tif 000023
【図２３】
0006579869.tif 000024
【図２４】
0006579869.tif 000025
【図２５】
0006579869.tif 000026